(57)【特許請求の範囲】
【請求項１】
少なくとも１つのアプリケーション機能を有する複合型の画像形成装置において、
画像形成装置本体および前記アプリケーション機能を駆動する第１電源と、
この第１電源のオンオフ制御を行う電源制御手段と、
この電源制御手段を駆動する第２電源と、
前記第１電源のオンオフを手動で指示する指示手段と、
この画像形成装置全体を制御する画像形成装置制御部と、を具備し、
前記画像形成装置制御部は、前記指示手段からの指示、前記画像形成装置本体のジョブ実行状態、および前記アプリケーション機能のジョブ実行状態から判断して、前記第１電源のオフを許可するか否かを示す電源制御信号を前記電源制御手段へ出力し、
この電源制御信号のステータスに応じて、前記電源制御手段は前記第１電源のオンオフ制御を行うことを特徴とする画像形成装置。
【請求項２】
前記アプリケーション機能のジョブ実行中に、前記指示手段から前記第１電源のオフの指示があった場合には、前記電源制御手段は、前記第１電源のオフを保留することを特徴とする請求項１記載の画像形成装置。
【請求項３】
前記電源制御手段が前記第１電源のオフを保留する場合には、その旨を操作者に通知する通知手段を設けたことを特徴とする請求項２記載の画像形成装置。
【請求項４】
前記アプリケーション機能のジョブ実行中に、前記指示手段から前記第１電源のオフの指示があった場合には、前記電源制御手段は、前記第１電源のオフを保留し、前記アプリケーション機能のジョブが終了後に、前記第１電源をオフにすることを特徴とする請求項１記載の画像形成装置。
【請求項５】
少なくとも１つのアプリケーション機能を有する複合型の画像形成装置において、
画像形成装置本体および前記アプリケーション機能を駆動する第１電源と、
この第１電源のオンオフ制御を行う電源制御手段と、
この電源制御手段および記憶媒体を駆動する第２電源と、
前記第１電源のオンオフを手動で指示する指示手段と、
前記アプリケーション機能により生成または受信されたデータを、前記記憶媒体に書き込み処理を行う書込み手段と、
この画像形成装置全体を制御する画像形成装置制御部と、を具備し、
前記書込み手段が前記記憶媒体へ書き込み処理中に、前記指示手段から前記第１電源のオフの指示があった場合には、前記画像形成装置制御部は、前記電源制御手段に対して、前記電源制御手段が、前記書込み手段の書き込み処理が終了するまで前記第１電源のオフを保留するよう制御する電源制御信号を出すことを特徴とする画像形成装置。
【請求項６】
前記電源制御手段が前記第１電源のオフを保留する場合には、その旨を操作者に通知する通知手段を設けたことを特徴とする請求項５記載の画像形成装置。
【請求項７】
前記書込み処理手段が前記記憶媒体に書込み処理中に、前記指示手段から前記第１電源のオフの指示があった場合には、前記電源制御手段は、前記第１電源のオフを保留し、前記書込み手段の書込み処理の終了後に、前記第１電源をオフにすることを特徴とする請求項５記載の画像形成装置。
【請求項８】
前記書込み手段が前記記憶媒体に書込み処理中に、前記指示手段から前記第１電源のオフの指示があり、前記電源制御手段の制御により、前記第１電源のオフが保留され、前記書込み手段の書込み処理の終了後に前記第１電源のオフが行われている状態で、前記指示手段から前記第１電源のオンの指示があり、この指示に基づき前記電源制御手段が第１電源を再びオンさせた場合には、前記記憶媒体に書き込まれているアプリケーション機能による処理を実行することを特徴とする請求項７記載の画像形成装置。
【請求項９】
前記記憶媒体に書き込まれているアプリケーション機能による処理を実行する場合には、その旨を操作者に通知する通知手段を設けたことを特徴とする請求項８記載の画像形成装置。
【発明の詳細な説明】
【０００１】
【発明の属する技術分野】
本発明は、複写機、ファクシミリ、プリンタなどのように画像形成ができる画像形成装置に関する。
【０００２】
【従来の技術】
従来、この種の画像形成装置としては、主電源のオン／オフを行う場合に、手動の電源スイッチと、画像形成装置の動作状態とでそのオン／オフ制御を行うものが知られている。
このような従来装置は、装置の異常状態に応じて主電源のオン／オフ制御をしたり、電源スイッチから指示によって強制的に電源をオフするものである。
【０００３】
【発明が解決しようとする課題】
ところで、今日、画像処理装置は、従来からのスタンドアローン型画像形成装置から、ファクシミリ機能、プリンタ機能等のアプリケーションを実行可能な多機能複合型の（デジタル）画像形成装置へと移行している。
しかし、従来装置における主電源のオン／オフ制御に関し、上記の各アプリケーション機能の動作状態における処理内容について何ら考慮されていない。
このため、特に、ファクシミリ機能やプリンタ機能では、データの送受信中は画像形成装置本体の駆動系が動作していないこともあり、操作者が誤ってメインスイッチを操作して主電源をオフにしてしまう可能性があった。
【０００４】
そこで、本発明の第１の目的は、アプリケーション機能の実行中に、誤って電源が遮断する不都合を解消できる画像形成装置を提供することにある。
本発明の第２の目的は、画像データを記憶媒体に書込み中に、誤って電源が遮断してその書込み処理が不可能となる不都合を解消できる画像形成装置を提供することにある。
【０００５】
【課題を解決するための手段】
請求項１記載の発明は、少なくとも１つのアプリケーション機能を有する複合型の画像形成装置において、画像形成装置本体および前記アプリケーション機能を駆動する第１電源と、この第１電源のオンオフ制御を行う電源制御手段と、この電源制御手段を駆動する第２電源と、前記第１電源のオンオフを手動で指示する指示手段と、この画像形成装置全体を制御する画像形成装置制御部と、を具備し、前記画像形成装置制御部は、前記指示手段からの指示、前記画像形成装置本体のジョブ実行状態、および前記アプリケーション機能のジョブ実行状態から判断して、前記第１電源のオフを許可するか否かを示す電源制御信号を前記電源制御手段へ出力し、この電源制御信号のステータスに応じて、前記電源制御手段は前記第１電源のオンオフ制御を行うことにより、前記第１の目的を達成する。
【０００６】
請求項２記載の発明は、請求項１記載の画像形成装置において、前記アプリケーション機能のジョブ実行中に、前記指示手段から前記第１電源のオフの指示があった場合には、前記電源制御手段は、前記第１電源のオフを保留するものである。
【０００７】
請求項３記載の発明は、請求項２記載の画像形成装置において、前記電源制御手段が前記第１電源のオフを保留する場合には、その旨を操作者に通知する通知手段を設けたものである。
【０００８】
請求項４記載の発明は、請求項１記載の画像形成装置において、前記アプリケーション機能のジョブ実行中に、前記指示手段から前記第１電源のオフの指示があった場合には、前記電源制御手段は、前記第１電源のオフを保留し、前記アプリケーション機能のジョブが終了後に、前記第１電源をオフにするものである。
【０００９】
請求項５記載の発明は、少なくとも１つのアプリケーション機能を有する複合型の画像形成装置において、画像形成装置本体および前記アプリケーション機能を駆動する第１電源と、この第１電源のオンオフ制御を行う電源制御手段と、この電源制御手段および記憶媒体を駆動する第２電源と、前記第１電源のオンオフを手動で指示する指示手段と、前記アプリケーション機能により生成または受信されたデータを、前記記憶媒体に書き込み処理を行う書込み手段と、この画像形成装置全体を制御する画像形成装置制御部と、を具備し、前記書込み手段が前記記憶媒体へ書き込み処理中に、前記指示手段から前記第１電源のオフの指示があった場合には、前記画像形成装置制御部は、前記電源制御手段に対して、前記電源制御手段が、前記書込み手段の書き込み処理が終了するまで前記第１電源のオフを保留するよう制御する電源制御信号を出すことにより、前記第２の目的を達成する。
【００１０】
請求項６記載の発明は、請求項５記載の画像形成装置において、前記電源制御手段が前記第１電源のオフを保留する場合には、その旨を操作者に通知する通知手段を設けたものである。
【００１１】
請求項７記載の発明は、請求項５記載の画像形成装置において、前記書込み処理手段が前記記憶媒体に書込み処理中に、前記指示手段から前記第１電源のオフの指示があった場合には、前記電源制御手段は、前記第１電源のオフを保留し、前記書込み手段の書込み処理の終了後に、前記第１電源をオフにするものである。
【００１２】
請求項８記載の発明は、請求項７記載の画像形成装置において、前記書込み手段が前記記憶媒体に書込み処理中に、前記指示手段から前記第１電源のオフの指示があり、前記電源制御手段の制御により、前記第１電源のオフが保留され、前記書込み手段の書込み処理の終了後に前記第１電源のオフが行われている状態で、前記指示手段から前記第１電源のオンの指示があり、この指示に基づき前記電源制御手段が第１電源を再びオンさせた場合には、前記記憶媒体に書き込まれているアプリケーション機能による処理を実行するものである。
【００１３】
請求項９記載の発明は、請求項８記載の画像形成装置において、前記記憶媒体に書き込まれているアプリケーション機能による処理を実行する場合には、その旨を操作者に通知する通知手段を設けたものである。
【００１４】
【発明の実施の形態】
以下、本発明の画像形成装置の実施の形態について、図面を参照して詳細に説明する。
図１は、本発明の画像形成装置の第１の実施の形態の概略構成を示す断面図である。図２は、この実施の形態の電源部の構成を示すブロック図である。図３は、メインコントローラを中心に、図２で示した画像形成装置制御部の詳細な構成を示すブロック図である。図４は、操作部の構成例を示す平面図である。
この第１の実施の形態の画像形成装置は、図１に示すように、自動原稿送り装置（以下、ＡＤＦという）１、画像読み取りユニット５０、画像書込みユニット５７、および後処理装置であるフィニッシャ１００などから構成される。
【００１５】
ＡＤＦ１に設けられた原稿台２に、原稿の画像面を上にして置かれた原稿束は、操作部３０（図４参照）上のスタートキー３４が押下されると、一番下の原稿から給送ローラ３、給送ベルト４によってコンタクトガラス６上の所定の位置に給送される。
コンタクトガラス６上に給送された原稿の画像データが、読み取りユニット５０によって読み取られると、この読み取りが終了した原稿は、給送ベルト４及び排送ローラ５によって排出される。
さらに、原稿セット検知器７により原稿台２に次の原稿が有ることを検知された場合には、前原稿と同様にコンタクトガラス６上に原稿が給送される。給送ローラ３、給送ベルト４、排送ローラ５は搬送モータ２６（図３参照）によって駆動される。
【００１６】
第１トレイ８、第２トレイ９、および第３トレイ１０に積載された各転写紙は、対応する第１給紙装置１１、第２給紙装置１２、第３給紙装置１３によって給紙され、さらに縦搬送ユニット１４によって感光体１５に当接する位置まで搬送される。
読み取りユニット５０により読み込まれた画像データは、書き込みユニット５７からのレーザーによって感光体１５に書き込まれ、感光体１５が現像ユニット２７を通過することによって感光体１５上にトナー像が形成される。
転写紙は、感光体１５の回転と等速度で搬送ベルト１６によって搬送されながら、感光体１５上のトナー像が転写される。その後、定着ユニット１７で転写紙に画像を定着させ、この画像が定着された転写紙は、排紙ユニット１８によって後処理装置のフィニッシャ１００に排出される。
【００１７】
フィニッシャ１００は切り替え板１０１を備え、この切り替え板１０１の切り替えにより、本体の排紙ユニット１８から排紙された転写紙の搬送方向を切り替えるように構成される。
すなわち、切り替え板１０１を上に切り替える事により、ローラ１０２、搬送ローラ１０３を経由して通常排紙トレイ１０４側に排紙することができる。一方、切り替え板１０１を下方向に切り替えることにより、搬送ローラ１０５、１０７を経由して、ステープル台１０８に搬送することができる。
【００１８】
ステープル台１０８に積載された転写紙は、１枚排紙されるごとに紙揃え用のジョガー１０９によって紙端面が揃えられ、１部のコピー完了と共にステープラ１０６によって綴じられる。ステープラ１０６で綴じられた転写紙群は自重によって、ステープル完了排紙トレイ１１０に収納される。
一方、通常の排紙トレイ１０４は、前後に移動可能な排紙トレイである。この排紙トレイ部１０４は、原稿毎、あるいは、画像メモリによってソーティングされたコピー部毎に、前後に移動し、簡易的に排出されてくるコピー紙を仕分けるものである。
【００１９】
転写紙の両面に画像を作像する場合は、各給紙トレイ８〜１０から給紙され作像された転写紙を排紙トレイ１０４側に導かないで、経路切り替えの為の分岐爪１１２を上側にセットすることにより、いったん両面給紙ユニット１１１にストックする。
その後、両面給紙ユニット１１１にストックされた転写紙は、再び感光体１５に作像されたトナー画像を転写するために、両面給紙ユニット１１１から再給紙され、経路切り替えの為の分岐爪１１２を下側にセットし、排紙トレイ１０４に導く。このように、転写紙の両面に画像を作成する場合には、両面給紙ユニット１１１は使用される。
【００２０】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４は、メインモータ２５（図４参照）の駆動を中間クラッチ２１によって伝達駆動される。
【００２１】
次に、この実施の形態の電源部の構成について、図２を参照して説明する。
この電源部は、図２に示すように、主電源８１、補助電源８４、電源制御部８２、リレー８３、およびスイッチ８６などから構成される。
主電源８１の入力側は商用電源に接続され、その入力側には商用電源との接続の開閉を行うためにリレー８３の開閉接点８３Ａが設けられている。
また、主電源８１の出力側には、画像形成装置を制御する画像形成装置制御部８０が接続されている。
補助電源８４は、その入力側が商用電源に接続され、その出力側には電源制御部８２が接続されている。リレー８３は、補助電源８４により駆動されるように構成される。
電源制御部８２には、画像形成装置制御部８０から電源制御信号８５が供給されるとともに、手動で主電源８１の開閉を行うための電源スイッチ８６からの開閉信号が供給されるように構成される。
【００２２】
このような構成からなる電源部では、画像形成装置制御部８０からの電源制御信号８５と、電源スイッチ８６の開閉状態とに基づき、電源制御部８２は主電源８１から画像形成装置制御部８０へ電力の供給を制御する。
すなわち、電源制御部８２は、画像形成装置制御部８０へ電力の供給をする場合には、リレー８３を励磁させて開閉接点８３Ａを閉状態とし、その電力の供給を停止する場合には、リレー８３の励磁を解いて図２に示すように開閉接点８３Ａを開状態とする。
なお、電源制御部８２の動作の詳細については、後述する。
【００２３】
図３は、メインコントローラを中心に、画像形成装置制御部８０の詳細を示すブロック図である。
図３に示すメインコントローラ２０は、画像形成装置全体を制御する。メインコントローラ２０には、オペレータ（操作者）に対する表示、オペレータからの機能設定入力制御を行う操作部３０、スキャナの制御、原稿画像を画像メモリに書き込む制御、画像メモリからの作像を行う制御等を行う画像処理部４９（以下ＩＰＵという）、ＡＤＦ１等の分散制御装置が接続されている。
各分散制御装置とメインコントローラ２０は、必要に応じて機械の状態、動作司令のやりとりを行っている。また、紙搬送等に必要なメインモータ２５、各種クラッチ２１〜２４も接続されている。
【００２４】
操作部３０には、図４に示すように、液晶タッチパネル３１、テンキー３２、クリア／ストップキー３３、プリントキー３４、モードクリアキー３５、コピー中の動作を中断して別のコピー処理をさせるための割込キー３６、ファクシミリ機能を選択するための切り替えキー３７、オンラインプリンタ機能を選択するための切り替えキー３８などが配置されている。
液晶タッチパネル３１には、モード設定用機能キー（表示）、部数、および画像形成装置の状態を示すメッセージなどが表示される。
【００２５】
また、オンラインプリンタ機能の切り替えキー３８が押下されることにより、メインコントローラ２０は、オンラインプリンタ機能回路部７３に対して実行処理許可を与える。
さらに、パーソナルコンピュータ（図示しない）等からの実行処理要求が、オンラインプリンタ機能回路部７３を介してメインコントローラ２０に送信されると、メインコントローラ２０は、画像形成装置本体の実行ジョブ状態、他のアプリケーション機能回路部（例えば、ここではファクシミリ機能回路部７４）のジョブ実行状態から判断して、オンラインプリンタ機能回路部７３に対して実行処理許可を与える。
メインコントローラ２０により実行処理、実行許可を得たオンラインプリンタ機能回路部７３は、パーソナルコンピュータからの画像信号を受け取り、セレクタ６４（図５参照）を介してＩＰＵ４９に転送する。
ファクシミリ機能回路部７４についても、ファクシミリ機能を選択するための切り替えキー３７の押下に応じて、上述と同様な処理が行なわれる。
【００２６】
図６は、操作部３０の液晶タッチパネル３１の表示例を示す図である。
オペレータが液晶タッチパネル３１に表示されたキーにタッチすることにより、選択された機能を示すキーが黒く反転し、その機能が選択される。液晶タッチパネル３１は、ドット表示器を使用している為、その時の最適な表示をグラフィカルに行う事が可能である。
【００２７】
次に、図１を参照して、画像形成装置の画像の読み取りから画像を感光体に像形成するまでの動作について説明する。ここで、潜像とは、感光体１５面上に、画像を光情報に変換して照射することにより生じる電位分布である。
図１に示すように、読み取りユニット５０は、原稿を載置するコンタクトガラス６と光学走査系で構成されている。
光学走査系は、図１に示すように、露光ランプ５１、第１ミラー５２、レンズ５３、ＣＣＤイメージセンサ５４などで構成されている。
【００２８】
露光ランプ５１および第１ミラー５２は、図示しない第１キャリッジ上に固定され、第２ミラー５５および第３ミラー５６は図示しない第２キャリッジ上に固定されている。原稿像を読み取るときには、光路長が変わらないように、第１キャリッジ第２キャリッジとが２対１の相対速度で機械的に走査される。
この光学走査系は、図示しないスキャナ駆動モータにて駆動される。原稿画像は、ＣＣＤイメージセンサ５４によって読み取られ、電気信号に変換されて処理される。
レンズ５３およびＣＣＤイメージセンサ５４を図１において左右方向に移動させることにより、画像倍率が変わる。すなわち、指定された倍率に対応してレンズ５３およびＣＣＤイメージセンサ５４の左右方向に位置が設定される。
【００２９】
書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する回転多面鏡（ポリゴンミラー）が備わっている。
レーザ出力ユニット５８より照射されるレーザ光は、定速回転するポリゴンミラーで偏光され、結像レンズ５９を通り、ミラー６０で折り返され、感光体１５面上に集光結像する。
偏光されたレーザ光は、感光体１５が回転する方向と直行する方向（主走査方向）に露光走査され、後述する画像処理部のセレクタ６４より出力された画像信号のライン単位の記録を行う。感光体１５の回転速度と記録密度に対応した所定の周期で主走査を繰り返すことによって、感光体１５面上に画像（静電潜像）が形成される。
【００３０】
上述のように、書き込みユニット５７から出力されるレーザ光が、画像作像系の感光体１５に照射される。図示しないが感光体１５の一端近傍のレーザビームを照射される位置に、主走査同期信号を発生するビームセンサ（図示せず）が配置されている。
この主走査同期信号をもとに主走査方向の画像記録開始タイミングの制御、および後述する画像信号の入出力を行うための制御信号の生成を行う。
【００３１】
図５は、図３に示した画像処理部４９の詳細な構成を示す。
この画像処理部４９の構成について、信号の処理の流れに沿って説明する。
露光ランプ５１（図１参照）からの光が原稿面を照射すると、原稿面からの反射光が結像レンズ（図示せず）によりＣＣＤイメージセンサ５４の受光面に結像される。ＣＣＤイメージセンサ５４は、光電変換して原稿の画像に応じた電気信号を出力するので、Ａ／Ｄコンバータ６１はその電気信号をデジタル信号に変換する。
【００３２】
デジタル信号に変換された画像信号は、シェーディング補正回路６２でシェーディング補正が行われ、信号補正回路６３にてＭＴＦ補正、γ補正等がなされたのち、変倍部７１にて変倍処理がなされる。
変倍部７１での変倍後の画像データは、斜体、白黒反転、ミラーリングなどの画像加工を行う編集ユニット７２に送られる。そして、セレクタ６４に送られた画像信号は、書き込みユニット５７へと転送される。
また、セレクタ６４は、オンラインプリンタ機能回路部７３、ファクシミリ機能回路部７４からの画像信号を受け取ることができ、画像データバスを必要に応じて切り替える。
【００３３】
オンラインプリンタ機能回路部７３、またはファクシミリ機能回路部７４からの画像信号（画像データ）および制御コマンドは、セレクタ６４を介してメモリコントローラ６５に送信される。そして、画像信号は画像メモリ６６に、制御コマンドはＲＡＭ７０にそれぞれ格納される。
なお、画像メモリ６６とＲＡＭ７０は、補助電源８４（図２参照）から電力供給を受けるように構成しても良く、あるいは補助電源８４とは別個に電池等から電力供給を受けるように構成しても良い。
【００３４】
次に、このように構成する第１の実施の形態の動作例について、図７〜図１２に示すフローチャートを参照して説明する。
図７は、この実施の形態のメインフローを示す。
いま、電源を投入すると、まず初期化処理が行われる（ステップ１）。この初期化処理の主な内容は、画像メモリ６６の管理領域などの各種フラグ、各種カウンターのクリア、画像メモリ６６のクリア、画像形成モードのリセット等を行う（初期化のフローは図示せず）。このとき、メインコントローラ２０から出力される電源制御信号８５は、「オフ許可」である。
初期化終了後、キー入力、または画像形成エンジンからのイベント（何等かの変化要因）、およびアプリケーションからのイベントの発生待ちとなる（ステップ２）。
【００３５】
ユーザーが何等かのキー操作を行うと、操作部３０よりキー入力イベントとして通知される。同様に、何等かの画像形成エンジンの変化、例えばＡＤＦ１に原稿をセットすると、原稿セット検知器７の信号の変化がエンジン・イベントとして通知される。このように、何れかのイベントが発生すると、ステップ３に進む。
ステップ３では、発生したイベントがキー入力なのか、エンジンなのか、あるいはアプリケーションからの処理要求なのか、イベントの種類を判定する。この判定の結果、エンジンの場合は、エンジン・イベント処理（ステップ４）、キー入力の場合は、キー入力イベント処理（ステップ５）、アプリケーションからの処理要求の場合は、アプリケーション・イベント処理（ステップ６）が呼び出され、再びステップ２のイベント待ちとなる。
【００３６】
次に、上述のキー入力イベント処理について、図８のフローチャートを参照して説明する。
図８において、ステップ１１からステップ１５は、入力されたキーを判断するための判定である。ステップ１６からステップ２０は、各キーに対応した処理である。なお、液晶タッチパネル３１に表示されたボタン状の表示も「キー」と表現する。
いま、プリントスタートキー３４が押下されると（ステップ１１；Ｙ）、コピー処理が呼び出される（ステップ１６）。テンキー３２が押下されると（ステップ１２；Ｙ）、テンキー処理が呼び出される（ステップ１７）。
クリア／ストップキー３３が押下されると（ステップ１３；Ｙ）、クリア／ストップ処理が呼び出される（ステップ１８）。割り込みキー３６が押下されると（ステップ１４；Ｙ）、割り込みコピー処理が呼び出される（ステップ１９）。その他のキーが押下されと（ステップ１５；Ｙ）、その他のキー処理が呼び出される（ステップ２０）。
【００３７】
次に、上述のアプリケーション・イベント処理について、図９のフローチャートを参照して説明する。
アプリケーションからの実行処理要求があると、まず電源制御信号８５を「オフ禁止」とする（ステップ８１）。
そして、セレクタ６４（図５参照）を切り替え（ステップ８２）、アプリケーションに対し実行処理許可を与える（ステップ８３）。
次に、すべてのジョブが終了したか否かが判定される（ステップ８４）。そして、すべてのジョブが終了したと判定されると（ステップ８４；Ｙ）、セレクタ６４を元に戻し（ステップ８５）、電源制御信号８５を「オフ許可」とする（ステップ８６）。
【００３８】
次に、主電源８１の制御について、図１０〜図１２のフローチャートを参照して説明する。
図１０は、図２に示す電源制御部８２のメインフローである。
電源制御部８２は、電源スイッチ８６の状態の監視（ステップ５０）と、電源制御信号８５の状態の監視（ステップ５１）を繰り返し行っている。
【００３９】
図１１は、電源スイッチ８６の監視処理を示す。
いま、電源スイッチ８６の入力があると（ステップ６０；Ｙ）、主電源８１がオン状態かどうかチェックする（ステップ６２）。
この結果、主電源８１がオフ状態であれば（ステップ６２；Ｎ）、リレー８３を駆動してその開閉接点（リレースイッチ）８３Ａを閉状態にし、主電源８１への電源供給を行う（ステップ６４）。これにより、画像形成装置制御部８０に電力が供給されて駆動可能となる。他方、主電源８６がオン状態であった場合には（ステップ６２；Ｙ）、電源制御信号８５の状態をチェックする（ステップ６３）。
この結果、電源制御信号８５の状態が「オフ許可」状態であれば（ステップ６３；Ｙ）、主電源８１のオフ処理を行い（ステップ６５）、画像形成装置制御部８０への電力の供給が停止される。
他方、電源制御信号８５の状態が「オフ禁止」状態であれば（ステップ６３；Ｎ）、電源スイッチオフフラグをセットし（ステップ６６）、電源オフ処理を保留した旨のメッセージを操作部３０の液晶ディスプレイ３１に表示する（ステップ６７）。
図６は、電源オフ処理を保留した旨のメッセージの表示例を示す。
【００４０】
図１２は、電源制御信号の監視処理を示す。
この処理では、図１２に示すように、まず電源スイッチ８６のオフフラグがセットされているか否かの判定が行われる（ステップ７０）。
この判定の結果、電源スイッチ８６のオフフラグがセットされている場合には（ステップ７０；Ｙ）、電源制御信号８５が「オフ許可」状態かどうか判定する（ステップ７１）。
この判定の結果、、電源制御信号８５が「オフ許可」状態であれば（ステップ７１；Ｙ）、リレー８３の励磁を解いてその開閉接点８３Ａを図２に示すように開状態し、主電源８１への電力供給を遮断する（ステップ７２）。そして、電源スイッチ８６のオフフラグをリセットする（ステップ７３）。
【００４１】
以上のような動作によって、この第１の実施の形態では、アプリケーション機能の実行中に、電源スイッチ８６により主電源８１を切るための電源オフの操作をしても、ジョブの実行中は電源制御信号８５が「オフ禁止」とされるので、誤って電源が切られることが防止される。また、アプリケーション機能のジョブの終了後、自動的に電源を切ることが可能となる。
【００４２】
次に、本発明の第２の実施の形態について説明する。
この第２の実施の形態は、第１の実施の形態のアプリケーション・イベント処理（図９）に代えて、図１３に示すようなアプリケーション・イベント処理とするものである。
この第２の実施の形態は、その制御処理のみが後述のように第１の実施の形態と異なり、その機械的および電気的な構成は第１の実施の形態と同様であるので、その構成の説明は省略する。
【００４３】
図１３のアプリケーション・イベント処理について説明する。
いま、アプリケーションからの実行処理要求があると、電源制御信号８５を「オフ禁止」とする（ステップ１０１）。そして、セレクタ６４（図５参照）を切り替え（ステップ１０２）、アプリケーションに対し実行処理許可を与える（ステップ１０３）。
これにより、アプリーション機能にかかるオンラインプリンタ機能回路部７３またはファクシミリ機能回路部７４からの画像データおよび処理コマンドは、画像メモリ６６およびＲＡＭ７０にいったん格納され、メモリへの書き込み処理がすべて終了したか否かが判定される（ステップ１０４）。
この判定の結果、メモリへの書き込み処理がすべて終了したと判定されると（ステップ１０４；Ｙ）、セレクタ６４を元に戻し（ステップ１０５）、電源制御信号８５を「オフ許可」とする（ステップ１０６）。
【００４４】
ここで、もし電源スイッチ８６がオフ状態であれば、電源制御処理により主電源８１はオフされる。また電源スイッチ８６がオン状態であれば、画像メモリ６６に格納された画像データは、通常の展開処理をされ、セレクタ６４を介して書き込みユニット５７へと転送される。
【００４５】
この第２の実施の形態では、このようにして得られる電源制御信号８５の「オフ禁止」または「オフ許可」に基づき、電源制御部８２が、図１０〜図１２に示すと同様に主電源８１を制御するので、その制御処理について説明する。
すなわち、この第２の実施の形態では、画像データを画像メモリ６６に書き込み中に、電源スイッチ８６がオフされた場合には、主電源８１のオフ処理を禁止し、この禁止状態を操作者に通知するようにする（図１１のステップ６７参照）。これにより、電源スイッチ８６が効かない等という操作者の誤認識を防止できる。
【００４６】
また、この第２の実施の形態では、画像データを画像メモリ６６に書き込み中に、電源スイッチ８６がオフされた場合に、主電源８１のオフ処理を禁止し、その書込みが終了後に、主電源８１のオフ処理を実行するようにする。これにより、アプリケーション機能の受信中に、操作者による電源スイッチ８６のオフ要求があっても、アプリケーション受信動作を完了させることできる。
【００４７】
さらに、この第２の実施の形態では、画像データを画像メモリ６６に書き込み中に、電源スイッチ８６がオフされた場合、主電源８１のオフ処理を禁止し、アプリケーション機能の受信作業が終了した後、主電源８１のオフ処理を実行するようにし、しかも、電源スイッチ８６が再びオンされた場合には、ＲＡＭ７０に格納された制御コマンドに従い、画像メモリ６６に書き込まれた画像データを展開するようにする。これにより、電源スイッチ８６の再投入によりアプリケーション機能の処理を継続することができる。
【００４８】
また、この第２の実施の形態では、画像メモリ６６およびＲＡＭ７０に記憶されたアプリケーション機能による処理を実行することを操作者に通知するようにする。これにより、電源スイッチ８６のオフ処理により中断されていたアプリケーション機能の実行処理中であることを操作者が認識できる。
【００４９】
【発明の効果】
請求項１記載の発明では、指示手段による第１電源のオン・オフの指示、装置本体のジョブ実行状態、およびアプリケーション機能のジョブ実行状態に応じて、画像形成装置制御部が出す電源制御信号により第１電源のオン・オフ処理を行うようにした。このため、操作者による第１電源のオフ要求に対し、画像形成装置の動作状態およびアプリケーション機能の動作状態に応じて電源のオフ／オン処理をすることが可能となる。
【００５０】
請求項２記載の発明では、アプリケーション機能のジョブ実行中に、指示手段により第１電源のオフの指示がされた場合に、第１電源のオフ処理を保留（禁止）するようにしたので、アプリケーション機能の実行中に第１電源のオフの操作が行われても、誤って電源を切ってしまう事を防止できる。
【００５１】
請求項３記載の発明では、第１電源のオフ処理を保留（禁止）する場合には、その旨を操作者に通知するようにしたので、電源スイッチが効かない等という操作者の誤認識を防止できる。
【００５２】
請求項４記載の発明では、アプリケーション機能のジョブ実行中に、指示手段により第１電源のオフの指示がされた場合には、第１電源のオフ処理を禁止し、その後、アプリケーション機能のジョブが終了した後に、第１電源のオフ処理を実行するようにした。このため、保留された電源のオフ操作をアプリケーション機能の処理動作が終了した後に自動的に行うことができるので、無駄な電力が消費されず、使い勝手の良い装置が実現出来る。
【００５３】
請求項５記載の発明では、画像データを記憶媒体に書き込み中に、指示手段により第１電源のオフの指示がされた場合には、記憶媒体に書き込みが終了するまで第１電源のオフ処理を保留するようにした。このため、操作者による第１電源のオフの要求に対し、アプリケーション受信動作状態に応じて電源のオフ／オン処理をすることが可能となる。
【００５４】
請求項６記載の発明では、第１電源のオフ処理を保留（禁止）する場合には、その旨を操作者に通知するようにしたので、電源スイッチが効かない等という操作者の誤認識を防止できる。
【００５５】
請求項７記載の発明では、画像データを記憶媒体に書き込み中に、指示手段により第１電源のオフが指示された場合には、第１電源のオフ処理を禁止し、アプリケーション機能のジョブが終了した後に、第１電源のオフ処理を実行するようにした。このため、アプリケーション機能の受信中の操作者による第１電源のオフの要求に対し、アプリケーション受信動作を完了させることができる。
【００５６】
請求項８記載の発明では、画像データを記憶媒体に書き込み中に、指示手段により第１電源のオフが指示された場合には、第１電源のオフ処理を禁止し、アプリケーション機能のジョブが終了した後に、第１電源のオフ処理を実行するようにし、さらに、指示手段により第１電源のオンが指示された場合には、記憶媒体に書き込まれているアプリケーション機能による処理を実行するようにした。このため、電源スイッチの再投入によりアプリケーション機能の処理を継続することができる。
【００５７】
請求項９記載の発明では、記憶媒体に記憶されたアプリケーション機能による処理を実行することを操作者に通知するようにしたので、電源スイッチのオフ処理により中断されていたアプリケーション機能の実行処理中であることを操作者が認識できる。
【図面の簡単な説明】
【図１】本発明の画像形成装置の第１の実施の形態の概略構成を示す断面図である。
【図２】第１の実施の形態の電源部の構成を示すブロック図である。
【図３】図２に示した画像形成装置制御部の詳細な構成を、メインコントローラを中心に示すブロック図である。
【図４】操作部の構成例を示す平面図である。
【図５】図３に示す画像処理部の詳細な構成を示すブロック図である。
【図６】液晶タッチパネルの表示例を示す図である。
【図７】第１の実施の形態の動作のメインフローを示すフローチャートである。
【図８】キー入力イベント処理を示すフローチャートである。
【図９】アプリケーション・イベント処理を示すフローチャートである。
【図１０】電源制御部の動作のメインフローを示すフローチャートである。
【図１１】電源スイッチ監視処理を示すフローチャートである。
【図１２】電源制御信号監視処理を示すフローチャートである。
【図１３】本発明の第２の実施の形態におけるアプリケーション・イベント処理を示すフローチャートである。
【符号の説明】
２０  メインコントローラ
３０  操作部
３１  液晶タッチパネル
４９  画像処理部
５０  読み取りユニット
５７  書込みユニット
６４  セレクタ
６６  画像メモリ
７０  ＲＡＭ
８０  画像形成装置制御部
８１  主電源（第１電源）
８２  電源制御部
８３  リレー
８３Ａ  開閉接点（リレースイッチ）
８４  補助電源（第２電源）
８５  電源制御信号
８６  電源スイッチ
【図１】
0003646958.tif 000002
【図２】
0003646958.tif 000003
【図３】
0003646958.tif 000004
【図４】
0003646958.tif 000005
【図５】
0003646958.tif 000006
【図６】
0003646958.tif 000007
【図７】
0003646958.tif 000008
【図８】
0003646958.tif 000009
【図９】
0003646958.tif 000010
【図１０】
0003646958.tif 000011
【図１１】
0003646958.tif 000012
【図１２】
0003646958.tif 000013
【図１３】
0003646958.tif 000014